(57)【要約】      （修正有）【課題】シャツ類を透明な包装袋から取り出して折り畳まれたままハンガーに吊下げることができるシャツ類のハンガー用吊下げ具を提供する。【解決手段】シャツ類のハンガー用吊下げ具１は、紐状部材１２に２つのクリップ１３を対向させ、シャツ類を挟持したときに開口辺側が内側に向くように紐状部材に取り付けられていることを特徴とする。紐状部材は、１本でもよいし２本をリング状に取り付けたものでもよい。【選択図】図１
0003191648.tif 000002
【実用新案登録請求の範囲】
【請求項１】
紐状部材に２つのクリップを取り付けてなり、前記２つのクリップは対向させたとき開口辺側が内側に向くように取り付けられていることを特徴とするシャツ類のハンガー用吊下げ具。
【請求項２】
２つのクリップは、１本の紐状部材の両端部に取り付けられていることを特徴とする請求項１に記載のシャツ類のハンガー用吊下げ具。
【請求項３】
紐状部材は、２つのクリップのそれぞれ端部に取り付けられてリング状をなしており、クリップより下側をネクタイ掛け用としたことを特徴とする請求項１に記載のシャツ類のハンガー用吊下げ具。
【請求項４】
２つのクリップのうち、一方のクリップは紐状部材を挿通することによってスライド可能に取り付けられており、クリップより下側をネクタイ掛け用としたことを特徴とする請求項１に記載のシャツ類のハンガー用吊下げ具。
【請求項５】
クリップはサイドレバーのダブルクリップであって、紐状部材はクリップの開口辺側の円筒部に取り付けられていることを特徴とする請求項１〜４のいずれか１項に記載のシャツ類のハンガー用吊下げ具。
【請求項６】
正面凸状型の補助板を備えており、折り畳まれたシャツ類の背面に当ててクリップでシャツ類と一緒に挟持して、シャツ類の型崩れを防止するようにしたことを特徴とする請求項１〜５のいずれか１項に記載のシャツ類のハンガー用吊下げ具。
【考案の詳細な説明】
【技術分野】
【０００１】
この考案は、襟付きシャツ類をハンガーに掛けてディスプレイするのに好適なシャツ類の吊下げ具に掛り、詳しくは包装袋から取り出し折り畳んだままの状態でハンガーに係止でき、その上から背広、ジャケット類も一緒に重ね掛けして展示できるシャツ類のハンガー用吊下げ具に関するものである。
【背景技術】
【０００２】
従来、ワイシャツ、ポロシャツ等の襟付きシャツ類は、通常、所要の大きさに折り畳まれてビニール製等の透明な包装袋に収納され、メーカーやサイズごとに陳列棚に並べたり、陳列台に積み重ねられて販売されている。そして、購入者は自分の持っている背広やジャケット類を思い浮かべながら、自分の好みやファッションとして合うものを購入している。
【０００３】
また、シャツ類の売り場において、背広やジャケット類と組み合わせ、コーディネートしてハンガーに掛けて展示する場合がある。このように、ハンガーに掛けるためには、展示するシャツ類を包装袋から取り出し、折り畳み状態を解除した上でハンガーに掛けその上から背広、ジャケットを掛けなければならない。襟付きシャツ類を収納された透明な包装袋から取り出し、そのまま折り畳んだ状態でハンガーに掛けて展示することはできなかった。
【０００４】
また、掛けて展示されたシャツ類を販売するときは、再度所要の大きさに折り畳んで透明な包装袋に収納しなければならないが、きれいに再包装することは困難であるばかりでなく、一度展示した商品は皺や汚れによって正規の値段では販売できなくなることがある。
【０００５】
このような問題を解決するために、登録実用新案第３０５７３５５号公報において、折り畳み状態のままワイシャツと背広やジャケットとのコンビネーションを視覚的に顧客に見せることができるディスプレイが提案されている。
【０００６】
この考案は、背板の上部中央部にワイシャツのうしろ襟の幅よりも若干小幅の曲折片を形成するとともに、前記背板の上部に固定された懸吊片を上方に延出せしめ、前記懸吊片の上辺に係止孔を形成し、前記背板の下辺の両端部に折畳ワイシャツの両端下端部係止部を形成したことを特徴とするハンガーディスプレイである。
【考案の概要】
【考案が解決しようとする課題】
【０００７】
前記ハンガーディスプレイによれば、ワイシャツを折り畳み状態のままで、ワイシャツとスーツやジャケット等の上着とともにハンガーに懸吊ディスプレイされるから、ワイシャツ等を包装状態の折り畳み状態のままでディスプレイを行うことができる。
【０００８】
しかしながら、背板をハンガーに係止するには、懸吊片のハンガー用孔にハンガーのフックを通さなければならず、係止するのに手間がかかり面倒であった。また、背板の大きさは一定であるから、シャツ類の大きさに合わせて成形しなければならないとともに、ハンガーの大きさや形状によってシャツ類のディスプレイの位置が変更される。
【０００９】
さらに、シャツ類は包装状態のままであり、ネクタイを襟の中に巻くことはできないから、ネクタイと合わせてコーディネートすることはできなかった。また、背板は、折り畳み状態のシャツ類と同じ大きさであり、折曲片や両端部係止部が形成されているから、破損や保管スペースの問題がある。
【００１０】
そこで、この考案は、シャツ類（襟付きシャツ、襟なしシャツ、女性ブラウス等）を包装状態のままハンガーに掛けることができるとともに、包装袋から取り出してもてディスプレイできる。さらに、背広やジャケットとのコーディネートが自由にできるシャツ類のハンガー用吊下げ具を提供することを目的とする。また、この考案は、シャツ類の折り畳んだ状態の大きさやハンガーの形状、大きさに関係なく、最も好ましい状態でハンガーに吊下げることができる、シャツ類のハンガー用吊下げ具を提供することを目的とする。さらに、折り畳み状態のシャツ類と背広等に合わせて、ネクタイとのコーディネートも可能にするシャツ類のハンガー用吊下げ具を提供することを目的とする。
【課題を解決するための手段】
【００１１】
この考案は上記目的を達成するために次のような構成とした。即ち、この考案に係るシャツ類のハンガー用吊下げ具は、紐状部材に２つのクリップを取り付けてなり、前記２つのクリップは対向させたとき開口辺側が内側に向くように取り付けられていることを特徴とする。前記２つのクリップは、１本の紐状部材の両端部に取り付けてもよいし、紐状部材は、２つのクリップのそれぞれ端部に取り付けてリング状に形成してもよい。紐状部材をリング状に取り付けた場合には、クリップより下側をネクタイ掛け用の紐状部材として使用することができる。
【００１２】
１本の紐状部材でも、２つのクリップのうち、一方のクリップに挿通し他方のクリップに取り付けることによって、挿通した側のクリップをスライド可能にすることができ、クリップより下側をネクタイ掛け用としてもよい。また、クリップはサイドレバーのダブルクリップを利用することができ、紐状部材はクリップの開口辺側の円筒部に取り付けることができる。
【００１３】
ディスプレイの際にシャツ類の型崩れを防止する補助板を備えていることが望ましく、前記補助板は正面凸状型であって、折り畳まれたシャツ類の背面に当ててクリップでシャツ類と一緒に挟持して使用する。この補助板は、ディスプレイの際に省略することは可能である。
【考案の効果】
【００１４】
この考案に係るシャツ類のハンガー用吊下げ具は、シャツ類を掛けたハンガーに、さらに上着等を掛けてディスプレイすることができる。従って、シャツ類のデザイン性を強調した展示をすることができる。また、その取扱いが簡単であり、熟練を必要とすることもなく、顧客の注文に応じて自由にコーディネートすることができる。また、紐状部材をリング状に取り付けた場合には、クリップより下側にネクタイを掛けることができるから、シャツ類を容易に取り替えることができることと相俟って、背広やジャケットとの組み合わせによるコーディネートをすることができる。
【００１５】
さらに、ディスプレイの際にシャツ類の型崩れを防止する補助板を備えている場合には、折り畳まれたシャツ類の背面に当ててクリップでシャツ類と一緒に挟持して使用することによって型崩れが防止され、シャツ類の商品価値を高めることができる。前記補助板は、正面凸状型とすることが好ましい。
【図面の簡単な説明】
【００１６】
【図１】図１は第１実施形態に係る吊下げ具の説明用正面図である。
【図２】図２は同じく一部を拡大したクリップの斜視図である。
【図３】図３は、第２実施形態に係る吊下げ具の説明用正面図である。
【図４】図４は、第３実施形態に係る吊下げ具の説明用正面図である。
【図５】図５は、クリップの他の実施形態を示し、図５（ａ）は開いた状態の正面図、図５（ｂ）は断面図、図５(ｃ)は閉じた状態の断面図である。
【図６】図６は、補助用当て板の斜視図である。
【図７】図７は、包装袋から取り出したシャツをハンガーに吊下げた正面図である。
【図８】図８は、包装袋から取り出したシャツにネクタイを掛けた状態の正面図である。
【図９】図９は、ネクタイ、背広とともにコーディネートした状態の正面図である。
【考案を実施するための形態】
【００１７】
以下に、本考案の実施形態について説明する。図１は、第１実施形態の吊下げ具１を示し、吊下げ具１は、紐状部材１２の両端にダブルクリップ１３が取り付けられている。紐状部材１２は、紐、鎖、ワイヤー、糸等の折り曲げが可能な可撓性、柔軟性のある材質であればよい。また、前記ダブルクリップ１３でシャツ類を挟持してハンガーに吊下げることができる強度を有するものであれば、その材質や太さは問わない。
【００１８】
前記ダブルクリップ１３は、実施形態では市販されているサイドレバーのダブルクリップ（以下、サイドレバークリップという）を使用している。サイドレバークリップ１３は、摘みレバー１４が閉じたときにサイドに曲げられるように、摘みレバー１４の先端部は斜めに形成された円筒状支持部１５に回転自在に挿入されている。前記円筒状支持部１５は、挟持板１１にコの字状に切り込みを入れて舌状面を作り、前記舌状面を巻いて形成される。舌状面を巻いた後には方形状の開口部１６が形成される。
【００１９】
さらに、サイドレバークリップ１３の先端開口辺側には、開口側から突出させた突出片を巻いて形成した円筒部１７が設けられている。円筒部１７を設けることによって、開口側から差し込みやすくなるとともに、傷つけることがない。前記紐状部材１２は、前記円筒部１７を利用して取り付けられており、挟持板１４のいずれか一方側の円筒部１７に挿通され、先端部は引き抜けないように円筒部１７より大きな抜け止め１８が形成されている。
【００２０】
そして、紐状部材１２を挿通した円筒部１７が、包装袋から取り出したシャツ類の裏側になるように挟持することによって、シャツ類が傷つくのを防止することができる。また、シャツ類は、包装したままであってもよい。紐状部材１２をシャツ類の裏側に位置させることによって、ハンガーに容易に架け回すことができる。
【００２１】
紐状部材１２を挿通した円筒部１７が、ハンガー側となるように、紐状部材１２を挿通した円筒部１７側の挟持板１４に目印１９を設けておくことが好ましい。目印１９は、例えば「裏側」または「ハンガー側」等の表示でもよいし、単なるシールでもよい。目印１９を設けることによって紐状部材１２を挿通した円筒部１７が、確実にハンガー側に向けて吊下げることができる。
【００２２】
図３は、第２実施形態に係る吊下げ具の正面図であって、吊り下げ具１Ａは、吊下げ具１とは紐状部材の連結方法が異なっている。すなわち、サイドレバークリップ１３の一方側に紐状部材１２を連結し、サイドレバークリップ１３の他端側に紐状部材１２ａを連結して、全体としてリング状に形成したものである。従って、同一構成については、同一符号を付してその説明は省略する。
【００２３】
前記紐状部材１２ａの材質、形状等は、紐状部材１２と異なっていてもよいが、同一であってもよい。紐状部材１２ａは、吊下げるシャツ類の前側に位置し、後述するように、ネクタイを結び付けるためのネクタイ用紐状部材である。ネクタイを結び付けることによって、シャツ類や背広等とのコーディネートが可能になる。
【００２４】
また、紐状部材１２，１２ａは、２本に分割したものをそれぞれサイドレバークリップ１３の両側に連結してもよいが、２本に分割することなく１本の紐状部材であってもよい。１本の紐状部材を使用するときには、一方側のサイドレバークリップ１３の両端部にある円筒部１７を貫通させ、他方のサイドレバークリップ１３において連結すればよい。
【００２５】
このように、１本の紐状部材により連結するときは、紐状部材が貫通した一方側のサイドレバークリップ１３は自由にスライドさせることができるから、ネクタイを結び付けるときやハンガーに回し掛けするときに、包装したままのシャツ類を挟持した状態でも上下方向にずらして長さを調節することができる。
【００２６】
図４は、市販されているダブルクリップ２０を利用したものである。このように、ダブルクリップ２０を利用した場合には、摘みレバー２１を支持する円筒状支持部２２は、先端開口辺側に設けられており、円筒部１７を兼ねている。そこで、紐状部材１２は、ダブルクリップ２０の挟持板２３を連結する背側の連結板２４の内側に固着される。
【００２７】
紐状部材１２を連結板２４の内側に固着することによって、包装したままのシャツ類との接触を少なくすることができるから、傷をつけることがなく、また、装着作業も容易に行うことができる。
【００２８】
尚、上記実施形態においても、紐状部材はダブルクリップの一方端側を連結してもよいし、両端側に連結してリング状に形成してもよい。リング状に形成した場合には、図３に示す実施形態と同様に、一方側の紐状部材をネクタイを結び付けるネクタイ用紐状部材とすることができる。
【００２９】
図５は、上記実施形態のようなダブルクリップではないクリップの実施形態の一例を示す。衣服用クリップ２５は、固定片２６と可動片２７とをバネ性を有する弾力板２８を介して連結してなり、固定片２６の両側に立設した支柱片２９に押圧レバー３０が回動自在に取り付けられている。前記弾力板２８の固定片２６側を折り曲げるようにして連結されており、固定片２６の先端部と可動片２７とが接合されたときに挟持するように形成されている。
【００３０】
また、前記押圧レバー３０は、摘み部３０ａの先端に押付片３０ｂを略くの字状に連設することによって形成されており、屈曲部３０ｃの両側面に突設した支軸３０ｄを支柱片２９の内側に設けた軸孔に嵌合することによって組み立てられている。また、前記固定片２６の後端部には、図から明らかなように、紐等を通す孔２６ａが穿設されている。
【００３１】
上記構成の衣服用クリップ２５は、押圧レバー３０を起立させると押付片３０ｂが上向きとなって、弾力板２８により可動片２７が固定片２６の先端部から離れて開口する。一方、押圧レバー３０を可動片２７側に倒せば、押付片３０ｂが下向きとなって弾力板２８を押し下げるから、可動片２７が閉じられ固定片２６の先端部との間で挟持することになる。
【００３２】
上記衣服用クリップ２５は、クリップの１種として上記サイドレバーのダブルクリップ１３、ダブルクリップ２０等に代えて使用することができる。前記衣服用クリップ２５を本願考案の吊下げ具のクリップとして使用する場合には、２個のクリップ２５のそれぞれの孔２６ａに紐状部材１２の端部を固定するか、一方のクリップ２５の孔２６ａに紐状部材１２を通し、もう一方のクリック２５の孔２６ａにおいて連結してリング状に形成してもよい。
【００３３】
図６は、形状保持用の補助板４０の斜視図である。補助板４０は、包装袋から取り出し折り畳まれたままのシャツをディスプレイする際に型崩れを防止するのに有効であり、包装したままのシャツ類をディスプレイする際に使用してもよい。補助板４０は、プラスチック板や厚紙で形成することができる。前記補助板４０は、正面において小幅部４１と大幅部４２により凸状に形成されており、折り畳まれたシャツ類の裏側に当てて使用する。
【００３４】
このように、２種類の幅寸法のうち小幅部４１を女性用シャツ類に使用し、大幅部４２を男性用シャツ類に使用することによって、１つの補助板４０を兼用することができる。使用するときは、小幅部４１を上方に向けて使用する。小幅部４１を上方に向けることによって、肩部の傾斜に沿うようになり男性用シャツ類にも無理なく使用することができる。
【００３５】
補助板４０の大きさは特に限定されるものではないが、例えば、小幅部４１の幅寸法Ｗを２０ｃｍ、大幅部３１の幅寸法Ｗ１を２５ｃｍ、高さ寸法Ｔ、Ｔ１をそれぞれ５ｃｍとすることができる。なお、小幅部４１の部分は角を湾曲させた山形状としてもよい。
【００３６】
次に、上記本考案に係る吊下げ具を用いたディスプレイの方法について説明する。図７は、図１に示す吊下げ具１を用いてハンガーＨに掛け、背広やジャケットを掛ける前の正面図である。まず、シャツＳを包装袋から取り出し、シャツは折り畳まれた状態のまま、シャツＳの肩口に側方からサイドレバーのダブルクリップ１３を挟持させる。このとき、紐状部材１２はシャツ類の裏側において上方に向けられている。従って、紐状部材１２を持って、ハンガーＨの前方からフックＨ１の裏側に回してハンガーＨの肩部に掛ければよい。
【００３７】
ほとんど紐状部材１２はハンガーＨとシャツＳの裏側に位置することになるから、表面からは見えない。折り畳まれたシャツがそのままハンガーＨに掛けられたように、自然な状態でディスプレイすることができる。クリップ１３を挟持させるときに、折り畳んだシャツの裏側に図６に示す補助板４０を当てることによって型崩れを防止することができる。
【００３８】
そして、シャツ類はハンガーＨの前側に係止されることになるから、ハンガーには通常と同様に背広やジャケットを掛けることができる。図８及び図９に示すように、シャツ類と背広等を重ね掛けしてディスプレイすることができる。
【００３９】
また、シャツ類は包装袋から取り出した場合でも、折り畳んだ状態のままディスプレイすることができるので、シャツ類を吊下げ具から取り外せば、そのまま包装袋に再度収納することができ折り畳む手間が省ける。さらに、製品としてそのまま販売することができるから、商品ロスを無くすことができる。
【００４０】
図８は、ネクタイを掛けた状態の使用例である。この使用例では、図３に示す紐状部材１２をリング状に設けた吊下げ具１Ａを用いている。クリップ１３の取り付けは図７の場合と同様であるが、クリップ１３より下方に向けられた紐状部材１２ａにネクタイＮを結び付けている。ネクタイＮの結び方は通常ディスプレイの際に行われている仮結びでよい。
【００４１】
ネクタイ用の紐状部材１２ａは、襟の内側になるから、ネクタイはあたかも襟首に巻いて結んだように見えるので、顧客の注文に応じてワイシャツや上着とコーディネートすることができる（図９参照）。
【００４２】
シャツ類をディスプレイする際は、包装した袋から取り出し、折り畳まれたままの状態でも補助板４０を用いることによって型崩れを防止することができるが、包装されたままのシャツでも同様にディスプレイすることができる。ネクタイを結ぶ紐状部材１２ａは若干梁端の前に出ることになるが、ネクタイを前面に出ている紐状部材１２に結ぶことができ、コーディネートを図るのに十分有効である。
【００４３】
図７及び図８に示すようにしてシャツ類をハンガーＨに掛けた後に、背広等の上着を掛け止めすることができ、図９に示すように、シャツ類、ネクタイ及び上着とのコーディネートを考慮したディスプレイが可能になる。また、シャツ類、ネクタイ、上着のそれぞれを容易に変更することができるから、顧客の求めに応じたコーディネートを短時間に行うことができる。
【符号の説明】
【００４４】
１：吊下げ具
１１：挟持板
１２：紐状部材
１３：サイドレバーのダブルクリップ
１４：摘みレバー
１５：円筒状支持部
１６：開口部
１７：円筒部
１９：目印
２０：ダブルクリップ
２１：摘みレバー
２２：円筒状支持部
２３：挟持板
２４：連結板
２５：衣服用クリップ
２６：固定片
２７：可動片
２８：弾力板
２９：支柱片
３０：押圧レバー
４０：補助板
Ｈ：ハンガー
【図１】
0003191648.tif 000003
【図２】
0003191648.tif 000004
【図３】
0003191648.tif 000005
【図４】
0003191648.tif 000006
【図５】
0003191648.tif 000007
【図６】
0003191648.tif 000008
【図７】
0003191648.tif 000009
【図８】
0003191648.tif 000010
【図９】
0003191648.tif 000011